(57)【要約】      （修正有）【課題】周辺枠の縦壁板の内面に目地用付属型部材を簡単・確実に着脱でき、種々の形状の目地部を形成可能として周辺枠の汎用性を高め、更に、底板にボルト穴を穿孔することなく周辺枠を簡単・確実に固定解除可能に固定でき、コンクリート成形品のサイズ・形状の変更に伴う周辺枠の配置変更を簡単に行うことができる型枠装置を提供する。【解決手段】型枠装置は、鋼板製の底板２、底板２のベット面２ａに取り外して可能に固定される複数の鋼板製の周辺枠４を備えた型枠３、底板２に複数の周辺枠４を固定解除可能に固定する複数の固定用治具５を備え、少なくとも１つの周辺枠４は、縦壁板１０の縦壁内面１０ａに着脱自在に設けられコンクリート壁ブロックの少なくとも１つの端面に所定の目地部を形成可能な１又は複数の目地用付属型部材３０、目地用付属型部材３０に縦壁板１０に吸着可能に取り付けられたマグネット３１を備えている。【選択図】図７
0003108299.tif 000002
【実用新案登録請求の範囲】
【請求項１】
鋼板製の底板のベット面に取り外し可能に固定される複数の周辺枠を備え、それら周辺枠内にコンクリートを流し込んでコンクリート成形品を成形する為の型枠において、
前記複数の周辺枠の少なくとも１つの周辺枠の縦壁板が鋼板で構成され、
前記少なくとも１つの周辺枠は、
その縦壁板の内面に着脱自在に設けられコンクリート成形品の少なくとも１つの端面に所定の目地部を形成可能な１又は複数の目地用付属型部材と、
この目地用付属型部材に前記縦壁板に吸着可能に取り付けられたマグネットと、
を備えたことを特徴とする型枠。
【請求項２】
前記コンクリート成形品が建物のコンクリート壁ブロックであり、
前記目地部は、接合される２つのコンクリート壁ブロックの間に、その接合端面の長手方向に延びる溝を形成する為のものであることを特徴とする請求項１に記載の型枠。
【請求項３】
前記コンクリート成形品が建物のコンクリート壁ブロックであり、
前記目地部は、接合される２つのコンクリート壁ブロックの間に外部からの水の侵入を防止する外方下がり傾斜状の水返しを形成する為のものであることを特徴とする請求項１に記載の型枠。
【請求項４】
請求項１の型枠と、前記底板に少なくとも１つの周辺枠を固定解除可能に固定する複数の固定用治具を備え、
前記各固定用治具が、ケーシングと、このケーシングに前記底板に吸着可能に取り付けられたマグネットと、ケーシングに揺動自在に連結され周辺枠の所定部位を下方へ押圧する押圧アームを有する押圧機構とを有することを特徴とする型枠装置。
【請求項５】
前記周辺枠は断面コ字状に形成されると共にその縦壁板を補強するリブを備え、
前記所定部位は、前記リブに形成され且つ押圧アームの先端部が上側から係合可能な係合凹部からなることを特徴とする請求項４に記載の型枠装置。
【考案の詳細な説明】
【技術分野】
【０００１】
本考案は、鋼板製の底板のベット面に取り外し可能に固定される複数の周辺枠を備えた型枠、更に、底板に少なくとも１つの周辺枠を固定解除可能に固定する複数の固定用治具を備えた型枠装置に関するものである。
【背景技術】
【０００２】
従来、建築現場において建物のコンクリート壁を形成する場合、先ず、コンクリート製造工場で複数のコンクリート壁ブロックを製造し、これらコンクリート壁ブロックを建築現場に搬送し、複数のコンクリート壁ブロックを組み立てて隣り合う２つのコンクリート壁ブロックの端面同士を接合する、という工法が広く採用されている。コンクリート製造工場では、通常、鋼板製の底板のベット面に、製造予定のコンクリート壁ブロックのサイズ・形状に応じた配置となるように複数の周辺枠を並べて固定して型枠を作り、その型枠内に流動状のコンクリートを流し込み固化してコンクリート壁ブロックを成形する。
【０００３】
従来、底板のベット面に複数の周辺枠を固定する場合、周辺枠を固定すべき底板の部位に複数のボルト穴を例えば400 〜500mm ピッチで穿孔し、各周辺枠を複数のボルト穴を利用して複数のロックボルトで固定するようにしている。ここで、同じ底板を使用し、周辺枠の配置を変更することにより、種々のサイズ・形状のコンクリート壁ブロックを成形することが可能である。この場合、周辺枠の配置変更前に使用していたボルト穴が不要となり、そのボルト穴から流動状のコンクリートが漏出する場合があるため、その処置として、不要となったボルト穴を楔状の埋栓で強力に塞ぎ、その埋栓の上側突出部分を切削してベット面と面一にして平滑面を確保する、穴痕作業が必要である。
【０００４】
尚、特許文献１には、複数の板状型枠と、２枚の板状型枠の端部を差し込んでそれら板状型枠を直線状に連結可能な差し込み継ぎ部材と、２枚の板状型枠の端部を差し込んでそれら板状型枠を直交状に連結可能な差し込みコーナー部材とを備え、種々のコンクリート成形品を成形可能に種々の形状となり得るコンクリート型枠が開示されている。
【０００５】
一方、特許文献２には、治具本体、底板に吸着可能に治具本体に取り付けられたマグネット、底板に対して治具本体を昇降可能に支持する４本の支持脚、治具本体に対して４本の支持脚を下方へ付勢するバネ、治具本体に揺動自在に連結されて型枠を下方へ押圧する押圧アームを有する押圧機構を備えた型枠固定用治具が開示されている。この型枠固定用治具では、４本の支持脚を底板に載置して位置決めしてから、治具本体をバネの付勢力に抗して下降させることで底板にマグネットを強力に吸着させて固定し、その治具本体に対して型枠を位置決めし、押圧機構により型枠を底板に押圧して固定することができる。
【０００６】
ところで、特に、前記コンクリート壁を建物の外壁とする場合には、コンクリート壁の外部から内部への水の侵入を防止するために、接合される２つのコンクリート壁ブロックの間の継ぎ目（目地）に、シール材を装着したり、外方下がり傾斜状の所謂水返しを形成したりする場合が多い。そこで、従来、コンクリート製造工場において、コンクリート壁ブロックを製造する際には、その必要な端面に、シール部材を装着する溝や水返しを形成する為の目地部を形成するが、そのために、前記目地部の形状に応じた目地用型部材を周辺枠の縦壁板の内面に溶接するようにして対応している。
【０００７】
【特許文献１】特開平５−３２９８１８号公報
【特許文献２】特開２００３−２９１１２３号公報
【考案の開示】
【考案が解決しようとする課題】
【０００８】
コンクリート壁ブロックの必要な端面に目地部を形成する場合、その目地部の形状に応じた目地用型部材を周辺枠の縦壁板の内面に溶接するようにしている。しかし、目地用型部材が一旦溶接された周辺枠については、この目地用型部材に応じた形状以外の形状の目地部を形成するものとして再利用することが困難である。コンクリート製造工場では、コンクリート壁ブロックの端面に種々の形状の目地部を形成することが要請されるが、目地部の形状を変更する度に、新たな目地用型部材を溶接した周辺枠を設ける必要がある。
【０００９】
つまり、目地部の形状を変更する場合、目地用型部材を溶接した周辺枠については、その周辺枠ごと交換する必要があり、周辺枠の汎用性が極めて低いものとなる。この周辺枠の１回の交換に要する費用は、例えば６０〜７０万円にもなり、年間では、その交換回数等にもよるが、例えば数億円という膨大な費用がかかってしまう。尚、周辺枠に目地用型部材を溶接する代わりに、周辺枠に目地用型部を一体形成することも可能であるが、やはり、前記同様の課題が生じる。
【００１０】
更に、底板のベット面に複数の周辺枠を固定する場合、周辺枠を固定すべき底板の部位に複数のボルト穴を形成すると、コンクリート壁ブロックのサイズ・形状を変更する場合に、不要となったボルト穴を楔状の埋栓で強力に塞ぎ、その埋栓の上側突出部分を切削してベット面と面一にして平滑面を確保する、という非常に煩雑な穴痕作業が必要である。しかも、底板のベット面でコンクリート壁ブロックの外面を成形することになるが、その外面にボルト穴を塞ぐ埋栓の跡が付いて外観が悪くなる虞があり、また、底板自体も損傷するため寿命が短くなり、結局、設備コスト的に不利になる。
【００１１】
本考案の目的は、周辺枠の縦壁板の内面に目地用付属型部材を簡単・確実に着脱でき、種々の形状の目地部を形成可能として周辺枠の汎用性を高め、その目地部の形状変更に要する費用を大幅に削減できる型枠、更に、底板にボルト穴を穿孔することなく周辺枠を簡単・確実に固定解除可能に固定でき、コンクリート成形品のサイズ・形状の変更に伴う周辺枠の配置変更を簡単に行うことができる型枠装置を提供することである。
【課題を解決するための手段】
【００１２】
請求項１の型枠は、鋼板製の底板のベット面に取り外し可能に固定される複数の周辺枠を備え、それら周辺枠内にコンクリートを流し込んでコンクリート成形品を成形する為の型枠において、前記複数の周辺枠の少なくとも１つの周辺枠の縦壁板が鋼板で構成され、前記少なくとも１つの周辺枠は、その縦壁板の内面に着脱自在に設けられコンクリート成形品の少なくとも１つの端面に所定の目地部を形成可能な１又は複数の目地用付属型部材と、この目地用付属型部材に前記縦壁板に吸着可能に取り付けられたマグネットとを備えたことを特徴とする。
【００１３】
この場合、例えば、前記コンクリート成形品が建物のコンクリート壁ブロックであり、前記目地部は、接合される２つのコンクリート壁ブロックの間に、その接合端面の長手方向に延びる溝を形成する為のものである（請求項２）。また、前記コンクリート成形品が建物のコンクリート壁ブロックであり、前記目地部は、接合される２つのコンクリート壁ブロックの間に外部からの水の侵入を防止する外方下がり傾斜状の水返しを形成する為のものである（請求項３）。
【００１４】
請求項４の型枠装置は、請求項１の型枠と、前記底板に少なくとも１つの周辺枠を固定解除可能に固定する複数の固定用治具を備え、前記各固定用治具が、ケーシングと、このケーシングに前記底板に吸着可能に取り付けられたマグネットと、ケーシングに揺動自在に連結され周辺枠の所定部位を下方へ押圧する押圧アームを有する押圧機構とを有することを特徴とする。この場合、例えば、前記周辺枠は断面コ字状に形成されると共にその縦壁板を補強するリブを備え、前記所定部位は、前記リブに形成され且つ押圧アームの先端部が上側から係合可能な係合凹部からなる（請求項５）。
【考案の効果】
【００１５】
請求項１の型枠によれば、同じ底板を使用して、複数の周辺枠の配置を変更することにより、種々のサイズ・形状のコンクリート成形品を成形することができる。複数の周辺枠の少なくとも１つの周辺枠の鋼板製の縦壁板の内面に、１又は複数の目地用付属型部材を、その目地用付属型部材に取り付けたマグネットを吸着させて装着できる。そして、この周辺枠を含む複数の周辺枠（型枠）内にコンクリートを流し込んでコンクリート成形品を成形し、そのコンクリート成形品の少なくとも１つの端面に所定の目地部を形成できる。また、縦壁板の内面から目地用付属型部材を取り外すことにより、その縦壁板に対応するコンクリート成形品の端面を平滑な端面に形成することもできる。
【００１６】
複数の周辺枠の少なくとも１つの周辺枠の縦壁板を鋼板で構成し、目地用付属型部材にマグネットを取り付けたので、この縦壁板の内面に目地用付属型部材を簡単・確実に着脱できる。コンクリート成形品に形成する目地部の形状を変更する場合には、変更予定の目地部の形状に応じた目地用付属型部材を設け、その目地用付属型部材を縦壁板に装着することで対応できる。つまり、目地部の形状を変更する場合、従来のように、新たに目地用型部材を溶接した周辺枠を設けて、周辺枠ごと交換する必要がなくなるため、周辺枠の目地用付属型部材（マグネット）以外の縦壁板を含む部分については、再利用することができるので周辺枠の汎用性を高めることができ、その結果、目地部の形状変更に要する費用を大幅に削減することができる。
【００１７】
請求項２の型枠によれば、前記コンクリート成形品が建物のコンクリート壁ブロックであり、前記目地部は、接合される２つのコンクリート壁ブロックの間に、その接合端面の長手方向に延びる溝を形成する為のものであるので、この溝を形成する為の目地部を端面に形成したコンクリート成形品を確実に安価に製造することが可能になる。その他は請求項１と同様の効果を奏する。
【００１８】
請求項３の型枠によれば、前記コンクリート成形品が建物のコンクリート壁ブロックであり、前記目地部は、接合される２つのコンクリート壁ブロックの間に外部からの水の侵入を防止する外方下がり傾斜状の水返しを形成する為のものであるので、この水返しを形成する為の目地部を端面に形成したコンクリート成形品を確実に安価に製造することが可能になる。その他は請求項１と同様の効果を奏する。
【００１９】
請求項４の型枠装置によれば、先ず、請求項１の型枠を備えたので、請求項１と同様の効果を奏する。更に、前記底板に少なくとも１つの周辺枠を固定解除可能に固定する複数の固定用治具を備え、各固定用治具が、ケーシングと、ケーシングに前記底板に吸着可能に取り付けられたマグネットと、ケーシングに揺動自在に連結され周辺枠の所定部位を下方へ押圧する押圧アームを有する押圧機構とを有するので、底板にボルト穴を穿孔することなく周辺枠を底板に簡単・確実に固定解除可能に固定でき、コンクリート成形品のサイズ・形状の変更に伴う周辺枠の配置変更を簡単に行うことができ、ボルト穴を形成することによる従来の煩雑な穴痕作業を不要とし、底板のベット面で成形するコンクリート成形品の外面の外観悪化を防ぎ、底板自体の寿命を長くして設備コスト的にも有利になる。
【００２０】
請求項５の型枠装置によれば、前記周辺枠は断面コ字状に形成されると共にその縦壁板を補強するリブを備え、前記所定部位は、前記リブに形成され且つ押圧アームの先端部が上側から係合可能な係合凹部からなるので、周辺枠（縦壁板）の強度・剛性を高め、各固定用治具の押圧機構により、その押圧アームで周辺枠を底板に確実に押圧し固定できる。
【考案を実施するための最良の形態】
【００２１】
本考案の型枠装置は、鋼板製の底板のベット面に取り外し可能に固定される複数の周辺枠と、底板に複数の周辺枠を固定解除可能に固定する複数の固定用治具を備え、複数の周辺枠が鋼板で構成され、複数の周辺枠の少なくとも１つの周辺枠が、その縦壁板の内面に着脱自在に設けられコンクリート成形品の少なくとも１つの端面に所定の目地部を形成可能な１又は複数の目地用付属型部材と、この目地用付属型部材に前記縦壁板に吸着可能に取り付けられたマグネットとを備え、各固定用治具が、ケーシングと、このケーシングに前記底板に吸着可能に取り付けられたマグネットと、ケーシングに揺動自在に連結され周辺枠の所定部位を下方へ押圧する押圧アームを有する押圧機構とを有するものである。
【実施例】
【００２２】
以下、本考案の実施例について、図面を参照して説明する。
図１に示すように、型枠装置１は、鋼板製の底板２と、底板２のベット面２ａに取り外して可能に固定される複数の鋼板製の周辺枠４を備えた型枠３と、底板２に複数の周辺枠４を固定解除可能に固定する複数の固定用治具５とを備えている。
【００２３】
底板２（定盤やベットともいう）は、縦横が例えば約7000×3500mmの矩形板に構成され、その上面に平滑なベット面２ａが形成されている。このサイズの底板２を用いることで、最大で縦横が例えば約6600×3100mmの矩形のコンクリート成形品であるコンクリート壁ブロック２１を成形することができる。底板２のベット面２ａにより、コンクリート壁ブロック２１の外面が成形される。
【００２４】
型枠３は複数の周辺枠４により主に矩形枠に構成され、この場合、型枠３は、その型枠３の各辺部分に１つの周辺枠４が設けられ、合計４つの周辺枠４で構成されている。但し、型枠３を矩形枠以外の多角形枠に構成することもできる。尚、図１には、実線で最大の型枠３を構成した場合の複数の周辺枠４の配置を示し、鎖線で、前記最大以下の型枠３を構成した場合の複数の周辺枠４の配置を示している。
【００２５】
ここで、各周辺枠４について、複数の周辺枠分割体を直線状に連結して構成でき、この場合、連結する周辺枠分割体の数等を変更することでその長さを調節でき、これを利用して複数の周辺枠４の配置を変更して型枠３のサイズ・形状を変更することができる。型枠３のサイズ・形状を変更する場合、型枠３の４辺部分のうちの隣り合う２辺部分の周辺枠４については、配置変更を必要としない基準周辺枠４とすることができる。
【００２６】
図２〜図４に示すように、各周辺枠４は、鉛直な縦壁板１０と、縦壁板１０の上端部に溶接された水平な上板１１と、縦壁板１０の下端部に溶接された水平な下板１２とを備え、これら縦壁板１０と上板１１と下板１２とで断面コ字状に形成されると共に、更に、縦壁板１０を補強する複数のリブ１３，１４を備えている。
【００２７】
縦壁板１０の縦壁内面１０ａによりコンクリート壁ブロック２１の端面２１ａが成形され、その縦壁内面１０ａ側に対して、上板１１と下板１２は共に反対の外側へ張り出し、下板１２の幅は上板１１の幅よりも大きく、その下板１２が底板２のベット面２ａに当接状に載置される。複数のリブ１３，１４については、複数の固定用治具５で周辺枠４を底板２に固定可能にする複数の固定可能部位（図１参照）に夫々３つ（１つの第１リブ１３と１対の第２リブ１４）ずつ設けられている。
【００２８】
第１リブ１３は矩形板に形成され、その上下長は縦壁板１０の上下長の約半分、また、その幅は上板１１の幅とほぼ同じであり、その内側端部と下端部が縦壁板１０と下板１２に溶接されている。１対の第２リブ１４は周辺枠４の長手方向に第１リブ１３を挟んで両側近くに配設され、各第２リブ１４はＬ形板に形成され、その上下長は上板１１と下板１２間の間隔と同じで、その幅は下板１２の幅とほぼ同じであり、その内側端部と上端部と下端部が縦壁板１０と上板１１と下板１２に溶接されている。
【００２９】
第２リブ１４は、立長の矩形片１４ａと、この矩形片１４ａから外側へ張り出す張出片１４ｂからなる。第１リブ１３と１対の第２リブ１４は周辺枠４の長手方向に長い第１連結板１５で連結され、この第１連結板１５は、その長さ方向両端部分が１対の第２リブ１４の張出片１４ｂに載置された状態で、第１リブ１３と第２リブ１４の矩形片１４ａの外側端面に溶接されている。また、１対の第２リブ１４は周辺枠４の長手方向に長い第２連結板１６で連結され、この第２連結板１６は第２リブ１４の張出片１４ｂの外側端面に溶接されている。こうしたリブ１３，１４と連結板１５，１６を含む前記各固定可能部位を、固定用治具５のクランプ力に十分耐え得る強度・剛性に構成することができる。
【００３０】
また、１対の第２リブ１４の張出片１４ｂには、固定用治具５の押圧棒５４（図１５参照）が上側から係合可能な係合凹部１４ｃが夫々形成されている。ここで、１対の第２リブ１４の張出片１４ｂの外端面は僅かに傾斜しており、その張出片１４ｂの外端面に固着された第２連結板１６も僅かに傾斜している。この第２連結板１６の傾斜は、底板２に固定された固定用治具５に対して第２連結板１６（つまり周辺枠４）を位置決めするために、固定用治具５の後述のケーシング４０の位置決め面４０ａ（図１６参照）の傾斜に合わせたものである。
【００３１】
ところで、図５、図６に示すように、この型枠装置１により成形された複数のコンクリート壁ブロック２１を、建築現場において組み立てて隣り合う２つのコンクリート壁ブロック２１の端面２１ａ同士を接合して、コンクリート壁２０を形成するが、特に、このコンクリート壁２０を建物の外壁とする場合には、コンクリート壁２０の外部から内部への水の侵入を防止するために、接合される２つのコンクリート壁ブロック２１の間の継ぎ目（目地）に、図５に示すように、溝２５を形成してシール材２５ａを装着し且つ溝２６を形成して空気孔２６ａを構成したり、図６に示すように、溝２７を形成してシール材２７ａを装着し且つ外方下がり傾斜状の所謂水返し２８を形成する場合が多い。本案の型枠３（型枠装置１）は、こうした構造のコンクリート壁２０のコンクリート壁ブロック２１を成形するのに適したものである。
【００３２】
そのために、図７〜図１０に示すように、この型枠３においては、４つの周辺枠４の少なくとも１つの周辺枠４が、上記構成の他に、更に、縦壁板１０の縦壁内面１０ａに着脱自在に設けられコンクリート壁ブロック２１の少なくとも１つの端面２１ａに所定の目地部２２（２２Ａ〜２２Ｅ）（図１１〜図１３参照）を形成可能な１又は複数の目地用付属型部材３０（３０Ａ〜３０Ｅ）と、この目地用付属型部材３０に縦壁板１０に吸着可能に取り付けられたマグネット３１（３１Ａ〜３１Ｅ）とを備えている。
【００３３】
目地用付属型部材３０は、コンクリート壁ブロック２１の端面２１ａに形成予定の目地部２２の形状に応じた形状及び長さに形成され、その一端面が平滑な面に形成されて縦壁板１０の縦壁内面１０ａに当接可能である。ここで、周辺枠４と同様に、目地用付属型部材３０は、複数の付属型部材割体を直線状に連結して構成でき、この場合、連結する付属型部材分割体の数等を変更することでその長さを調節できる。尚、目地用付属型部材３０を周辺枠４の縦壁板１０に位置決めする為の何らかの位置決め手段を設けてもよい。
【００３４】
各目地用付属型部材３０には複数の適当な大きさ且つ磁力のマグネット３１が取り付けられ、それらマグネット３１は目地用付属型部材３０の長さ方向に適当間隔おきに配置されている。各マグネット３１は目地用付属型部材３０にその平滑な一端面側から凹む凹部に嵌合された状態で固定され、その一端面とマグネット３１の外面が面一になるようにしてある。尚、本実施例では、目地用付属型部材３０に複数のマグネット３１を取り付ける複数の凹部を形成してあるが、目地用付属型部材３０の長さ方向に長い凹部を形成し、その共通の凹部に複数のマグネット３１を取り付けてもよい。この場合、複数のマグネット３１ではなく、単一の細長い１つのマグネット３１としてもよい。
【００３５】
周辺枠４の縦壁板１０に、図７の目地用付属型部材３０Ａ，３０Ｂを取り付けた場合、成形されるコンクリート壁ブロック２１の端面２１ａに図１１の目地部２２Ａ，２２Ｂが形成され、図８の目地用付属型部材３０Ｃを取り付けた場合、成形されるコンクリート壁ブロック２１の端面２１ａに図１２の目地部２２Ｃａ，２２Ｃｂが形成され、その端面２１ａの一端部分が段下がり状の端面となり、図９の目地用付属型部材３０Ｄ，３０Ｅを取り付けた場合、成形されるコンクリート壁ブロック２１の端面２１ａに図１３の目地部２２Ｄ，２２Ｅが形成され、その端面２１ａの一端部分が段下がり状の端面となる。
【００３６】
ここで、目地部２２Ａ，２２Ｃａ，２２Ｄは、接合される２つのコンクリート壁ブロック２１の間に、その接合端面２１ａの長手方向に延びる溝２５，２７を形成し、その溝２５，２７にシール材２５ａ，２７ａを装着する為のものであり、目地部２２Ｂは、接合される２つのコンクリート壁ブロック２１の間に、その接合端面２１ａの長手方向に延びる溝２６を形成し、その溝２６で空気孔２６ａを構成する為のものであり、目地部２２Ｃｂ，２２Ｅは、接合される２つのコンクリート壁ブロック２１の間に外部からの水の侵入を防止する外方下がり傾斜状の水返し２８を形成する為のものである。
【００３７】
次に、複数の固定用治具５について説明する。
複数の固定用治具５は全て同一構造である。図１４、図１５に示すように、各固定用治具５は、ケーシング４０、ケーシング４０に底板２のベット面２ａに吸着可能に取り付けられた強力なマグネット４１、ベット面２ａに対してケーシング４０を昇降自在に支持可能な４本の支持脚５０を有する昇降支持機構４２、ケーシング４０に揺動自在に連結され且つマグネット４１がベット面２ａに吸着された状態で周辺枠４の所定部位である１対の係合凹部１４ｃを下方へ押圧する押圧アーム５３を有する押圧機構４３を有する。
【００３８】
ケーシング４０は下側を開放した直方体状に形成され、このケーシング４０にマグネット４１が収容された状態でボルト４１ａにより固定され、そのマグネット４１の下面がケーシング４０の下側へ臨んでいる。ケーシング４０のうち周辺枠４側の位置決め面４０ａに、周辺枠４の第２連結板１６が当接して、周辺枠４がケーシング４０に対して位置決めされる。尚、ケーシング４０の長さ方向端部には、ケーシング４０を把持する把持部４０ｂが設けられ、その側壁の下端部には、マグネット４１をベット面２ａから吸着解除するためにバールを差し込むバール差込穴４０ｃが形成されている。
【００３９】
昇降支持機構４２は、ケーシング４０の４隅付近部に昇降自在に装着された４本の立向き軸状の支持脚５０と、これら支持脚５０を夫々下方へ付勢するバネ（図示略）とを有し、マグネット４１がベット面２ａに吸着していない状態で、マグネット４１の下面よりも下側へ所定量突出した状態で保持される。４本の支持脚５０がベット面２ａに載置された状態で、バネの付勢力に抗してケーシング４０（マグネット４１）が押圧され下降すると、マグネット４１がベット面２ａに強力に吸着する。
【００４０】
押圧機構４３は、基端部がケーシング４０にヒンジ結合された１対の揺動アーム５３と、１対の揺動アーム５３の先端部に架着状に連結された押圧棒５４と、１対の揺動アーム５３を連結する連結板５５と、連結板５５に回動操作可能に装着され操作部材５６を有する。操作部材５６に連動連結された締結部５７はケーシング４０に螺合可能であり、螺合解除された状態では、図１６に鎖線で示すように、揺動アーム５３を上げて退避状態とすることができ、この状態で、周辺枠４をケーシング４０に位置決めすることになる。
【００４１】
ケーシング４０に周辺枠４が位置決めされた状態で揺動アーム５３を下ろし、操作部材５６を操作して、締結部５７をケーシング４０に螺合していき、揺動アーム５３の先端部の押圧棒５４が下方へ下がるように締め付けていくと、押圧棒５４が周辺枠４の１対の係合凹部１４ｃに上側から係合した状態で、この係合凹部１４ｃを介して周辺枠４が下方へ押圧されて、底板２のベット面２ａに固定される。
【００４２】
次に、この型枠装置１を用いて、コンクリート壁ブロック２１を成形し、その際に、その少なくとも１つの端面２１ａに目地部２２を形成する方法について簡単に説明する。
先ず、底板２のベット面２ａを綺麗にした状態で、成形予定のコンクリート壁ブロック２１の形状・サイズに合わせて、ベット面２ａに複数の固定用治具５の固定予定位置の墨出しを行う。次に、ベット面２ａの墨出した固定予定位置に複数の固定用治具５を位置決めしてから、夫々マグネット４１をベット面２ａに吸着させて固定する。
【００４３】
次に、ベット面２ａの必要な箇所に剥離剤を塗布後、成形予定のコンクリート壁ブロック２１に応じた４つの周辺枠４を、複数の固定用治具５に夫々位置決めしてから、複数の固定用治具５ｄでベット面２ａに押圧固定し、矩形枠からなる型枠３を作る。その後、必要に応じて、型枠３内に鉄筋をセットし、コンクリート壁ブロック２１に穴を形成したい場合には、その穴専用用の型枠部材を複数の固定用治具５でベット面２ａに固定する。
【００４４】
ここで、固定用治具５で周辺枠４をベット面２ａに固定する前又は後に、目地部２２を形成する周辺枠４に、その目地部２２の形状に応じた目地用付属型部材３０を取り付ける。こうして構成した型枠３内に流動状のコンクリートを流し込み固化して、端面２１ａに目地部２２が形成されたコンクリート壁ブロック２１が成形される。その後、複数の固定用治具５による周辺枠４の固定を解除し、周辺枠４を取り外してから、成形されたコンクリート壁ブロック２１をクレーンにより吊り上げて底板２外へ搬出する。
【００４５】
以上説明した型枠装置１によれば次の効果を奏する。
同じ底板２を使用して、４つの周辺枠４の配置を変更することにより、種々のサイズ・形状のコンクリート壁ブロック２１を成形することができる。４つの周辺枠４の少なくとも１つの周辺枠４の鋼板製の縦壁板１０の縦壁内面１０ａに、１又は複数の目地用付属型部材３０を、その目地用付属型部材３０に取り付けたマグネット３１を吸着させて装着できる。そして、この周辺枠４を含む４つの周辺枠４（型枠３）内にコンクリートを流し込んでコンクリート壁ブロック２１を成形し、そのコンクリート壁ブロック２１の少なくとも１つの端面２１ａに所定の目地部２２を形成できる。また、縦壁板１０の縦壁内面１０ａから目地用付属型部材３０を取り外すことにより、その縦壁板１０に対応するコンクリート壁ブロック２１の端面２１ａを平滑な端面に形成することもできる。
【００４６】
４つの周辺枠４の少なくとも１つの周辺枠４の縦壁板１０を鋼板で構成し、目地用付属型部材３０にマグネット３１を取り付けたので、この縦壁板１０の縦壁内面１０ａに目地用付属型部材３０を簡単・確実に着脱できる。コンクリート壁ブロック２１に形成する目地部２２の形状を変更する場合には、変更予定の目地部２２の形状に応じた目地用付属型部材３０を設け、その目地用付属型部材３０を縦壁板１０に装着することで対応できる。つまり、目地部２２の形状を変更する場合、従来のように、新たに目地用型部材を溶接した周辺枠を設けて、周辺枠ごと交換する必要がなくなるため、周辺枠４の目地用付属型部材３０（マグネット３１）以外の縦壁板１０を含む部分については、再利用することができるので周辺枠４の汎用性を高めることができ、その結果、目地部２２の形状変更に要する費用を大幅に削減することができる。
【００４７】
コンクリート壁ブロック２１が建物のコンクリート壁２０の一部となるブロックであり、目地部２２Ａ，２２Ｂ，２２Ｃａ，２２Ｄは、接合される２つのコンクリート壁ブロック２１の間に、その接合端面２１ａの長手方向に延びる溝２５〜２７を形成する為のものであるので、この溝２５〜２７を形成する為の目地部２２Ａ，２２Ｂ，２２Ｃａ，２２Ｄを端面２１ａに形成したコンクリート壁ブロック２１を確実に安価に製造可能になり、また、目地部２２Ｃｂ，２２Ｅは、接合される２つのコンクリート壁ブロック２１の間に外部からの水の侵入を防止する外方下がり傾斜状の水返し２８を形成する為のものであるので、この水返し２８を形成する為の目地部２２Ｃｂ，２２Ｅを端面２１ａに形成したコンクリート壁ブロック２１を確実に安価に製造可能になる。
【００４８】
底板２に４つの周辺枠４を固定解除可能に固定する複数の固定用治具５を備え、各固定用治具５が、ケーシング４０と、ケーシング４０に底板２に吸着可能に取り付けられたマグネット４１と、ケーシング４０に揺動自在に連結され周辺枠４の１対の係合凹部１４ｃを下方へ押圧する押圧アーム５３を有する押圧機構４３とを有するので、底板２にボルト穴を穿孔することなく周辺枠４を底板２に簡単・確実に固定解除可能に固定でき、コンクリート壁ブロック２１のサイズ・形状の変更に伴う周辺枠４の配置変更を簡単に行うことができ、ボルト穴を形成することによる従来の煩雑な穴痕作業を不要とし、底板２のベット面２ａで成形するコンクリート壁ブロック２１の外面の外観悪化を防ぎ、底板２自体の寿命を長くして設備コスト的にも有利になる。
【００４９】
周辺枠４は断面コ字状に形成されると共にその縦壁板１０を補強する複数のリブ１３，１４を備え、各固定用治具５による固定可能部位の１対のリブ１４に、押圧アーム５３の先端部の押圧棒５４が上側から係合可能な１対の係合凹部１４ａを形成したので、周辺枠４（縦壁板１０）の強度・剛性を高め、各固定用治具５の押圧機構４３により、その押圧アーム５３の先端部の押圧棒５４で周辺枠４を底板２に確実に押圧し固定できる。
【００５０】
尚、コンクリート壁ブロック２１以外のコンクリート成形品を成形可能な型枠装置１に構成することもできる。また、型枠３を４つ以上の周辺枠４で構成することもできる。また、少なくとも１つの周辺枠４の縦壁板１０に３つ以上の目地用付属型部材３０を取り付けてもよい。また、複数の固定用治具５を省略して、底板２に複数のボルト穴を穿孔して複数のロックボルトで周辺枠４を固定するようにしてもよい。また、周辺枠４については、その前部を鋼板製とする必要はなく、少なくとも縦壁板１０を鋼板製としてもよい。その他、本考案の趣旨を逸脱しない範囲において、種々の変更を付加して実施可能である。
【図面の簡単な説明】
【００５１】
【図１】実施例に係る型枠装置の平面図である。
【図２】型枠の周辺枠の要部の平面図である。
【図３】図２のIII-III 線断面図である。
【図４】図２のIV-IV 線断面図である。
【図５】コンクリート壁の横断面図である。
【図６】コンクリート壁の縦断面図である。
【図７】目地用付属型部材とマグネットを備えた周辺枠の縦断面図である。
【図８】目地用付属型部材とマグネットを備えた周辺枠の縦断面図である。
【図９】目地用付属型部材とマグネットを備えた周辺枠の縦断面図である。
【図１０】目地用付属型部材の背面上側からの斜視図である。
【図１１】コンクリート壁ブロックの端面を含む一部の断面図である。
【図１２】コンクリート壁ブロックの端面を含む一部の断面図である。
【図１３】コンクリート壁ブロックの端面を含む一部の断面図である。
【図１４】周辺枠の要部と固定用治具の平面図である。
【図１５】周辺枠の要部と固定用治具の縦断面図である。
【符号の説明】
【００５２】
１  型枠装置
２  底板
２ａ  ベット面
３  型枠
４  周辺枠
５  固定用治具
１０  縦壁板
１０ａ  縦壁内面
１３  第１リブ
１４  第２リブ
１４ｃ  係合凹部
２１  コンクリート壁ブロック
２１ａ  端面
２２，２２Ａ〜２２Ｅ  目地部
２５〜２７  溝
２８  水返し
３０，３０Ａ〜３０Ｅ  目地用付属型部材
３１，３１Ａ〜３１Ｅ  マグネット
４０  ケーシング
４１  マグネット
４３  押圧機構
５３  押圧アーム
【図１】
0003108299.tif 000003
【図２】
0003108299.tif 000004
【図３】
0003108299.tif 000005
【図４】
0003108299.tif 000006
【図５】
0003108299.tif 000007
【図６】
0003108299.tif 000008
【図７】
0003108299.tif 000009
【図８】
0003108299.tif 000010
【図９】
0003108299.tif 000011
【図１０】
0003108299.tif 000012
【図１１】
0003108299.tif 000013
【図１２】
0003108299.tif 000014
【図１３】
0003108299.tif 000015
【図１４】
0003108299.tif 000016
【図１５】
0003108299.tif 000017